(57)【要約】      （修正有）【課題】被記録媒体に添付された被記録側非接触型タグに制限情報を記録して世代管理することが可能な画像記録装置において、その制限情報を必要に応じて変更可能にすること。【解決手段】本実施の形態で使用される用紙にはＲＦＩＤタグが添付され、そのタグには、コピー条件表が記録されている。すなわち、コピー条件表には、オリジナルの原稿を第１世代として各世代毎に、コピー可能枚数や、タグの情報をコピーすることの可否等が設定されている。原稿のタグに記録されたコピー条件表は、記録用紙のタグにコピーされるが、そのコピー時に、コピー条件表を修正することができる。また、制限を厳しくする修正がなされる場合は、パスワードが設定され、そのパスワードの入力により制限を解除することができる。【選択図】図７
2008076851.tif 000002
【特許請求の範囲】
【請求項１】
原稿の画像を読み取る画像読取手段と、
上記原稿に原稿側非接触型タグが添付されている場合、その原稿側非接触型タグからデータを読み取るデータ読取手段と、
上記画像読取手段が読み取った画像、または、上記データ読取手段が上記原稿側非接触型タグから読み取った画像データに基き、被記録媒体に画像を記録する画像記録手段と、
上記被記録媒体に被記録側非接触型タグが添付されている場合、その被記録側非接触型タグに上記データ読取手段が読み取ったデータを記録するデータ記録手段と、
上記データ読取手段が上記原稿側非接触型タグから読み取ったデータに制限情報が含まれている場合、その制限情報に基き、上記画像記録手段または上記データ記録手段の少なくともいずれか一方による上記記録を制限する記録制限手段と、
上記データ読取手段が上記原稿側非接触型タグから読み取った上記制限情報を、上記データ記録手段が上記被記録側非接触型タグに記録する場合、その記録される制限情報を変更する制限情報変更手段と、
を備えたことを特徴とする画像記録装置。
【請求項２】
原稿に原稿側非接触型タグが添付されている場合、その原稿側非接触型タグからデータを読み取るデータ読取手段と、
該データ読取手段が上記原稿側非接触型タグから読み取った画像データに基き、被記録媒体に画像を記録する画像記録手段と、
上記被記録媒体に被記録側非接触型タグが添付されている場合、その被記録側非接触型タグに上記データ読取手段が読み取ったデータを記録するデータ記録手段と、
上記データ読取手段が上記原稿側非接触型タグから読み取ったデータに制限情報が含まれている場合、その制限情報に基き、上記画像記録手段または上記データ記録手段の少なくともいずれか一方による上記記録を制限する記録制限手段と、
上記データ読取手段が上記原稿側非接触型タグから読み取った上記制限情報を、上記データ記録手段が上記被記録側非接触型タグに記録する場合、その記録される制限情報を変更する制限情報変更手段と、
を備えたことを特徴とする画像記録装置。
【請求項３】
上記制限情報変更手段が、
上記制限情報に更なる制限情報の追加がなされる場合にパスワードの設定を可能にするパスワード設定手段と、
上記追加された更なる制限情報の解除がなされる場合に上記パスワードの入力を要求するパスワード要求手段と、
を備えたことを特徴とする請求項１または２記載の画像記録装置。
【請求項４】
上記更なる制限情報が複数追加される場合、少なくとも１つの制限情報に対応するパスワードは少なくとも他の１つの制限情報に対応するパスワードの一部によって構成されることを特徴とする請求項３記載の画像記録装置。
【請求項５】
上記データ読取手段が上記原稿側非接触型タグから読み取った上記制限情報を、上記制限情報変更手段による変更後に、上記データ記録手段が上記被記録側非接触型タグに記録する場合、上記データ記録手段は、変更前の上記制限情報と変更後の上記制限情報との双方を上記被記録側非接触型タグに記録することを特徴とする請求項１〜４のいずれかに記載の画像記録装置。
【発明の詳細な説明】
【技術分野】
【０００１】
本発明は、原稿に原稿側非接触型タグが添付されている場合（埋め込まれている場合も含む）、その原稿側非接触型タグからデータを読み取るデータ読取手段と、被記録媒体に画像を記録する画像記録手段と、上記被記録媒体に被記録側非接触型タグが添付されている場合、その被記録側非接触型タグにデータを記録するデータ記録手段と、を備えた画像記録装置に関する。
【背景技術】
【０００２】
従来より、原稿にＲＦＩＤタグ等の原稿側非接触型タグが添付されている場合、その原稿側非接触型タグからデータを読み取るデータ読取手段と、該データ読取手段が上記原稿側非接触型タグから読み取った画像データに基き、被記録媒体に画像を記録する画像記録手段と、上記被記録媒体に被記録側非接触型タグが添付されている場合、その被記録側非接触型タグに上記データ読取手段が読み取ったデータを記録するデータ記録手段と、上記データ読取手段が上記原稿側非接触型タグから読み取ったデータに制限情報が含まれている場合、その制限情報に基き、上記画像記録手段または上記データ記録手段の少なくともいずれか一方による上記記録を制限する記録制限手段と、を備えた画像記録装置が考えられている。
【０００３】
この種の画像記録装置では、原稿の画像データを原稿側非接触型タグに記録しておけば、その画像データをデータ読取手段によって読み取って、その画像データに対応する画像を画像記録手段によって被記録媒体に記録することができる。また、被記録媒体に被記録側非接触型タグが添付されている場合、上記画像データをデータ記録手段によって被記録側非接触型タグに記録することもできる。すなわち、原稿の画像を画像としてまたはデータとして被記録媒体にコピーすることができる。
【０００４】
更に、この種の画像記録装置では、原稿の画像を読み取る画像読取手段を備えている場合、原稿側非接触型タグに原稿の画像データが記録されていない場合でも、画像読取手段が原稿から読み取った画像に基いて、画像記録手段が画像を記録することができる。
【０００５】
一方、この種の画像記録装置では、原稿側非接触型タグにその原稿の世代を表す世代情報と、コピーの可否やコピー可能枚数といった制限情報とを、記録しておくことが考えられている。この場合、被記録側非接触型タグには、原稿の世代に１世代加算された世代情報と、上記制限情報とが書き込まれる。こうすることによって、コピーの可否等の制限を世代管理することが可能となる（例えば、特許文献１参照）。
【特許文献１】特開２００５−１４８２４０号公報
【発明の開示】
【発明が解決しようとする課題】
【０００６】
ところが、従来は、制限情報は最初に設定されてしまうと変更することができなかった。例えば、第１世代の原稿をコピーして第２世代を他人に渡す場合、渡す相手によって制限を厳しくする（例えば、第２世代から第３世代へのコピーを不可にする）などといった対応はできなかった。そこで、本発明は、被記録媒体に添付された被記録側非接触型タグに制限情報を記録して世代管理することが可能な画像記録装置において、その制限情報を必要に応じて変更可能にすることを目的としてなされた。
【課題を解決するための手段】
【０００７】
上記目的を達するためになされた本発明の画像記録装置は、原稿の画像を読み取る画像読取手段と、上記原稿に原稿側非接触型タグが添付されている場合、その原稿側非接触型タグからデータを読み取るデータ読取手段と、上記画像読取手段が読み取った画像、または、上記データ読取手段が上記原稿側非接触型タグから読み取った画像データに基き、被記録媒体に画像を記録する画像記録手段と、上記被記録媒体に被記録側非接触型タグが添付されている場合、その被記録側非接触型タグに上記データ読取手段が読み取ったデータを記録するデータ記録手段と、上記データ読取手段が上記原稿側非接触型タグから読み取ったデータに制限情報が含まれている場合、その制限情報に基き、上記画像記録手段または上記データ記録手段の少なくともいずれか一方による上記記録を制限する記録制限手段と、上記データ読取手段が上記原稿側非接触型タグから読み取った上記制限情報を、上記データ記録手段が上記被記録側非接触型タグに記録する場合、その記録される制限情報を変更する制限情報変更手段と、を備えたことを特徴としている。
【０００８】
このように構成された本発明の画像記録装置では、画像読取手段が原稿から読み取った画像、または、原稿に添付された原稿側非接触型タグからデータ読取手段が読み取った画像データに基き、画像記録手段は被記録媒体に画像を記録する。また、データ記録手段は、被記録媒体に被記録側非接触型タグが添付されている場合、その被記録側非接触型タグに上記データ読取手段が読み取ったデータを記録する。
【０００９】
ここで、データ読取手段が原稿側非接触型タグから読み取ったデータに制限情報が含まれている場合には、記録制限手段により、その制限情報に基き、上記画像記録手段または上記データ記録手段の少なくともいずれか一方による上記記録が制限される。但し、本発明では、上記データ読取手段が上記原稿側非接触型タグから読み取った上記制限情報を、上記データ記録手段が上記被記録側非接触型タグに記録する場合、その記録される制限情報を制限情報変更手段によって変更することができる。このため、本発明では、自分の世代以降の原稿に付与される制限情報を適宜変更することができる。
【００１０】
また、本発明の画像記録装置は、原稿に原稿側非接触型タグが添付されている場合、その原稿側非接触型タグからデータを読み取るデータ読取手段と、該データ読取手段が上記原稿側非接触型タグから読み取った画像データに基き、被記録媒体に画像を記録する画像記録手段と、上記被記録媒体に被記録側非接触型タグが添付されている場合、その被記録側非接触型タグに上記データ読取手段が読み取ったデータを記録するデータ記録手段と、上記データ読取手段が上記原稿側非接触型タグから読み取ったデータに制限情報が含まれている場合、その制限情報に基き、上記画像記録手段または上記データ記録手段の少なくともいずれか一方による上記記録を制限する記録制限手段と、上記データ読取手段が上記原稿側非接触型タグから読み取った上記制限情報を、上記データ記録手段が上記被記録側非接触型タグに記録する場合、その記録される制限情報を変更する制限情報変更手段と、を備えたことを特徴とするものであってもよい。
【００１１】
このように構成された本発明の画像記録装置では、原稿に添付された原稿側非接触型タグからデータ読取手段が読み取った画像データに基き、画像記録手段は被記録媒体に画像を記録する。また、データ記録手段は、被記録媒体に被記録側非接触型タグが添付されている場合、その被記録側非接触型タグに上記データ読取手段が読み取ったデータを記録する。
【００１２】
ここで、データ読取手段が原稿側非接触型タグから読み取ったデータに制限情報が含まれている場合には、記録制限手段により、その制限情報に基き、上記画像記録手段または上記データ記録手段の少なくともいずれか一方による上記記録が制限される。但し、本発明では、上記データ読取手段が上記原稿側非接触型タグから読み取った上記制限情報を、上記データ記録手段が上記被記録側非接触型タグに記録する場合、その記録される制限情報を制限情報変更手段によって変更することができる。このため、本発明では、自分の世代以降の原稿に付与される制限情報を適宜変更することができる。
【００１３】
なお、本発明は以下の構成に限定されるものではないが、上記制限情報変更手段は、上記制限情報に更なる制限情報の追加がなされる場合にパスワードの設定を可能にするパスワード設定手段と、上記追加された更なる制限情報の解除がなされる場合に上記パスワードの入力を要求するパスワード要求手段と、を備えたものであってもよい。
【００１４】
この場合、制限情報変更手段によって更なる制限情報が追加された場合には、その追加時にパスワード設定手段にて設定されたパスワードをパスワード要求手段の要求に応じて入力することにより、上記更なる制限情報を解除することが可能になる。
【００１５】
そして、この場合、上記更なる制限情報が複数追加される場合、少なくとも１つの制限情報に対応するパスワードは少なくとも他の１つの制限情報に対応するパスワードの一部によって構成されてもよい。
【００１６】
この場合、複数追加された制限情報のうちの少なくとも１つの制限情報に対応するパスワードが少なくとも他の１つの制限情報に対応するパスワードの一部によって構成されるため、制限情報を複数追加する処理を実行した者が、パスワードを覚えておくのが容易になる。
【００１７】
また、上記各画像記録装置において、上記データ読取手段が上記原稿側非接触型タグから読み取った上記制限情報を、上記制限情報変更手段による変更後に、上記データ記録手段が上記被記録側非接触型タグに記録する場合、上記データ記録手段は、変更前の上記制限情報と変更後の上記制限情報との双方を上記被記録側非接触型タグに記録してもよい。
【００１８】
この場合、変更前の制限情報も変更後の制限情報と共に被記録側非接触型タグに記録されるため、制限情報を変更前の状態に戻すのが容易になる。
【発明を実施するための最良の形態】
【００１９】
［複合機１の全体構成］
次に、本発明が適用された実施の形態を図面と共に説明する。図１は、本発明が適用された複合機１の外観を表す斜視図である。図１（Ａ），（Ｂ）に示すように、この複合機１は、下側本体１Ａに対して上側本体１Ｂを開閉可能に取り付けてなる構造のものであり、上側本体１Ｂには開閉可能なカバー１０１を有する画像読取手段としての画像読取装置１００を備えている。また、上側本体１Ｂの正面側には操作パネル２が設けられている。更に、下側本体１Ａは、次のように、給紙カセット３に収容された被記録媒体としての用紙Ｐ（図３参照）に画像を形成するレーザプリンタとして構成されている。
【００２０】
［下側本体１Ａの構成］
次に、下側本体１Ａの構成について説明する。図２の縦断面図に示すように、給紙カセット３の内部には、図示しないバネにより上方に付勢された支持板５が設けられ、その支持板５の更に上方には、支持板５の上に積層状に保持された用紙Ｐを一枚ずつ分離して後述の画像形成部７方向へ供給する一対の給紙ローラ８，９が配設されている。図示左側の給紙ローラ８は、最上部の用紙Ｐを給紙ローラ９に向けて搬送するもので、図示右側の給紙ローラ９は、分離パッド１０を圧接されて用紙Ｐを１枚ずつ分離して搬送するいわゆるピックアップローラである。また、分離パッド１０は、バネ１１を介して給紙カセット３に設けられ、給紙カセット３を所定位置まで挿入したとき、バネ１１の弾発力によって給紙ローラ９に圧接される。
【００２１】
給紙ローラ９から画像形成部７へ到る用紙Ｐの搬送経路には、給紙ローラ９によって搬送された用紙Ｐを折り返すガイド１２と、給紙ローラ９によって搬送された用紙Ｐの先端を適宜停止することによって係止し、その用紙Ｐの斜行を補正する１対のレジストローラ１４，１５とが順次配設されている。
【００２２】
画像記録手段としての画像形成部７は、感光体カートリッジ２０内に設けられた感光体ドラム２１と、その感光体ドラム２１に対向配置された転写ローラ２２とを備えている。なお、感光体ドラム２１は、接地された金属芯体の表面に有機感光体（ＯＰＣ）の層を形成した周知のものである。
【００２３】
この感光体ドラム２１及び転写ローラ２２の間を通過して後述のようにトナーによる画像が形成された用紙Ｐは、定着部３１へ供給される。この定着部３１では、用紙Ｐに形成されたトナー画像が加熱ローラ３３と押圧ローラ３５とに挟まれて熱定着され、ガイド３７によって下側本体１Ａの上方へ導かれる。上方へ導かれた用紙Ｐは、一対の排紙ローラ３８，３８によって、下側本体１Ａの上面に設けられた排紙トレー３９に排出される。
【００２４】
また、排紙トレー３９と感光体カートリッジ２０との間には、感光体ドラム２１をレーザ光Ｌによって露光するスキャナユニット９０が配設されている。スキャナユニット９０は、レーザ光Ｌにより感光体ドラム２１の表面を走査露光して静電潜像を形成するものである。このスキャナユニット９０は、周知のように、図示しないレーザ光源から発せられたレーザ光Ｌを、ポリゴンミラー９１によって偏向した後、ｆθレンズ９２，反射鏡９３，トーリックレンズ９４，反射鏡９５を介して感光体ドラム２１に露光する。
【００２５】
次に、画像形成部７の構成について、更に詳細に説明する。感光体カートリッジ２０は、感光体ドラム２１を回転可能に備え、更に、転写ローラ２２と、感光体ドラム２１の表面を一様に帯電させるスコロトロン帯電器２３とを備えている。スコロトロン帯電器２３によって帯電された感光体ドラム２１の表面には、スキャナユニット９０から照射されるレーザ光Ｌによって静電潜像が形成される。続いて、次に述べる現像カートリッジ４０に設けられた現像手段としての現像ローラ４１が感光体ドラム２１の表面へトナーを供給することにより、上記静電潜像が現像される。このようにして感光体ドラム２１に付着されたトナーは、前述の転写ローラ２２との間を通過する用紙Ｐに転写され、以上の動作によってその用紙Ｐに画像が形成されるのである。
【００２６】
なお、現像ローラ４１は、現像カートリッジ４０に回転可能に支持され、感光体ドラム２１に接触して回転駆動される。現像カートリッジ４０には、この他、トナーを収容するトナー収容部４２、そのトナー収容部４２に収容されたトナー撹拌するアジテータ４３、アジテータ４３によりトナー収容部４２から放出されたトナーを現像ローラ４１へ供給する供給ローラ４４、現像ローラ４１の表面に付着されたトナーを摩擦帯電させトナーの薄層を形成する現像ブレード４５、などが設けられている。
【００２７】
また、用紙Ｐの搬送経路におけるレジストローラ１４，１５の直前には、データ記録手段の一例としてのタグライタ４７が設けられている。このタグライタ４７は、図３に例示するように非接触型タグの一例としてのＲＦＩＤタグ（Radio Frequency Identification tag：以下、単にタグという）Ｔが設けられた用紙Ｐが使用された場合に、その用紙Ｐの搬送中にタグＴにデータを記録するものである。
【００２８】
［画像読取装置１００の構成］
一方、画像読取装置１００は、原稿としての用紙Ｐが載置される透明ガラスからなる原稿台１０２と、その原稿台１０２の下面に沿って図２の紙面に垂直方向（以下、左右方向という）に移動可能にレール１０３で支持されたイメージセンサ１１０とを備えている。なお、イメージセンサ１１０は、図４に示すように、支持部１１１にバネ１１２を介して支持されたセンサ本体１１３を備え、支持部１１１及びセンサ本体１１３は、図２における左右方向（以下、前後方向という）に長尺状に構成されている。
【００２９】
センサ本体１１３は、原稿（図示せず）に向かって赤・青・緑の３色の光Ｌを照射する光源１１５と、原稿から反射された光Ｌをレンズ１１６を介して受光する受光素子１１７とを備えている。また、センサ本体１１３には、図３に示す用紙Ｐが原稿として使用された場合にタグＴにデータを記録したりデータを読み込んだりするためのデータ読取手段の一例としてのタグリーダライタ１１８が設けられている。なお、光源１１５，レンズ１１６，受光素子１１７，タグリーダライタ１１８も、センサ本体１１３の長手方向のほぼ全体に亘って長尺状に構成されている。
【００３０】
［複合機１の制御系の構成］
次に、前述した操作パネル２，画像形成部７，タグライタ４７，タグリーダライタ１１８，受光素子１１７は、図５に示すように、制御部２００に接続されている。この制御部２００は、ＣＰＵ２０１，ＲＯＭ２０２，ＲＡＭ２０３を備えたマイクロコンピュータとして構成され、更に、電源スイッチが切られても記憶内容が消えないようにされたＮＶＲＡＭ２０４を備えている。
【００３１】
また、この制御部２００は、プリンタポートインタフェース（プリンタポートＩ／Ｆ）２３０及びケーブル７００を介してパーソナルコンピュータ（以下，パソコンという）８００に接続されている。パソコン８００のパソコン本体８１０は、主な構成としてＣＰＵ８１１，ＲＯＭ８１２，ＲＡＭ８１３，及びハードディスク装置（ＨＤＤ）８１４を備えている。そして、このパソコン本体８１０には、ＣＲＴ等のディスプレイ８２０、キーボード８３０、マウス８４０、及び、複合機１の制御部２００と接続するためのプリンタポートインタフェース（プリンタポートＩ／Ｆ）８５０等が接続されている。
【００３２】
［上記制御系における処理］
次に、この制御系で実行される処理について説明する。図６は、原稿台１０２に原稿が載置された後、操作パネル２からコピーが指示されたときに制御部２００が実行するコピー処理を表すフローチャートである。なお、この処理は、ＲＯＭ２０２に記憶されたプログラムに基き、ＣＰＵ２０１によって実行される。
【００３３】
また、以下の説明では、原稿としての用紙Ｐ（以下、単に原稿という場合もある）に添付されたタグＴには、次のような制限情報としてのコピー条件表が記録されている場合を主に想定して説明する。すなわち、タグＴに記録されたコピー条件表には、表１に例示するように、オリジナルの原稿を第１世代として各世代毎に、コピー可能枚数や、タグＴの情報をコピー先の用紙Ｐ（以下、記録用紙ともいう）に添付されたタグＴにコピーすること（以下、タグコピーという）の可否等が設定されている。
【００３４】
また、一部のコピー条件がパスワードの入力により解除可能な場合は、そのパスワードもコピー条件表に記録されている。更に、コピー条件表が記録されたタグＴを備えた原稿の表面に記録された画像は、そのまま光学的に読み取って通常のコピーを行うと「無断複写」の透かしが表れるよう周知の偽造防止処理がなされているものとする。
【００３５】
【表１】
2008076851.tif 000003
図６に示すように、コピー処理が開始されると、先ず、Ｓ１（Ｓはステップを表す：以下同様）にて、イメージセンサ１１０が原稿台１０２の一端に配置されたまま光源１１５から光Ｌが照射されることにより、周知の白黒補正が実行される。続くＳ３では、原稿サイズ，タグＴの有無，「無断複写」の透かしの有無などを検出するためのプレスキャンが、イメージセンサ１１０をレール１０３に沿って移動させることによって実行される。更に続くＳ５では、原稿にタグＴが添付されていた場合にそのタグＴに記録されたデータ（以下、タグデータという）を取得するためのプレスキャンが実行され、Ｓ７にて、コピー条件表のコピー条件を設定するためのコピー条件設定処理が実行される。
【００３６】
図７は、このコピー条件設定処理を詳細に表すフローチャートである。この処理では、先ず、Ｓ７１にて、コピー条件の制限を解除する指令が操作パネル２に入力されたか否かが判断される。コピー条件の制限を解除する指令が入力された場合は（Ｓ７１：Ｙ）、Ｓ７２にて、使用者にパスワードの入力を促すと共にそのパスワードを確認する周知の処理が実行され、続くＳ７３では、入力されたパスワードに対応したコピー条件が解除され、処理はＳ７４へ移行する。一方、コピー条件の制限を解除する指令が入力されない場合は（Ｓ７１：Ｎ）、処理はＳ７１からＳ７４へ直接移行する。
【００３７】
Ｓ７４では、コピー条件の制限を更に加える指令が操作パネル２になされたか否かが判断される。コピー条件の制限を更に加えない場合は（Ｓ７４：Ｎ）、Ｓ７５にて、原稿のタグＴのコピー条件表に設定されたコピー条件が、Ｓ７３にて解除された制限を除いて設定され処理は続くＳ１１へ移行する。なお、このＳ７５の処理では、コピー条件が設定されるのみで、記録用紙に添付されたタグＴへの記録はなされない。
【００３８】
図６へ戻って、Ｓ１１では、イメージセンサ１１０による原稿画像の読み取りが開始され、続くＳ１３では、レジストローラ１４，１５のところまで搬送された記録用紙のタグＴへタグライタ４７を介してデータが書き込まれる。ここでは、Ｓ７５にて設定されたコピー条件に対応するコピー条件表が、記録用紙のタグＴに書き込まれる。また、原稿のタグＴから取得された取得されたコピー条件表において、記録用紙の世代に対するタグコピーが許可されている場合は、全てのタグデータが記録用紙のタグＴに読み出し可能に記録され、許可されていない場合は、全てのタグデータが既定のパスワードによりロックされて書き込まれる。
【００３９】
続くＳ１５では、画像形成部７を介して、記録用紙に印刷がなされて処理が終了する。なお、原稿のタグＴには印刷画像のデータが記録されており、コピー条件表のコピー可能枚数が０でない場合は、そのタグＴに記録されたデータに基いて、偽造防止処理を施しながら画像の印刷がなされる。このため、記録用紙に記録される画像には「無断複写」の透かしは入らない。また、この場合、ＲＯＭ２０２に予め記憶されたウォーターマークのデータに基き、印刷画像に「コピー」の透かし印刷が加えられる。
【００４０】
一方、原稿のタグＴに記録されたコピー条件表のコピー可能枚数が０の場合は、Ｓ１５では、Ｓ１１にてイメージセンサ１１０により光学的に読み取られた画像に基いて記録用紙への印刷がなされる。この場合、前述のように、記録用紙には「無断複写」の透かし印刷がなされる。また、図示省略したが、Ｓ１５の処理の終了時には、周知のように、原稿のタグＴに記録されたコピー条件表の対応するコピー可能枚数が１減算される処理と、記録用紙のタグＴに原稿のタグＴに記録された世代情報よりも１世代後である旨の世代情報が書き込まれる。
【００４１】
図７へ戻って、一方、コピー条件の制限を更に加える場合は（Ｓ７４：Ｙ）、処理はＳ７６へ移行し、原稿より下位の世代に対するコピー条件表が、操作パネル２の操作に基いて作成され、表示される。なお、この処理の実行時には、原稿のタグＴから取得されたコピー条件表を保存する処理もなされる。続くＳ７７では、操作パネル２に対するキー入力が終了したか否かが判断され、終了していない場合は（Ｓ７７：Ｎ）、処理は前述のＳ７６へ移行して、コピー条件表の作成・表示が繰り返される。そして、キー入力が終了すると（Ｓ７７：Ｙ）、処理はＳ７８へ移行し、キー入力に従ってコピー条件が修正される。この処理の後に前述のＳ１３へ移行した場合は、修正後のコピー条件に従ったコピー条件表が記録用紙のタグＴに書き込まれ、原稿のタグＴから取得されてＳ７６にて保存されたコピー条件表も、記録用紙のタグＴに復元可能に書き込まれる。従って、世代を経てコピー条件が修正される毎に、タグＴに記録されるコピー条件表は増加する。
【００４２】
なお、Ｓ７６〜Ｓ７８の処理で可能となるコピー条件の修正は、コピー条件に更に制限を加えるための修正である。そこで、Ｓ７８に続くＳ８０では、その修正と同時に設定したパスワードの入力によってコピー条件を修正前の状態に戻すことができるように、次のような欠落情報保存処理が実行される。
【００４３】
図８は、この欠落情報保存処理を詳細に表すフローチャートである。図８に示すように、この処理では、先ずＳ８１にて、原稿のタグＴに記録されたコピー条件表のコピー可能枚数が０であるか否かが判断される。コピー可能枚数が０の場合は（Ｓ８１：Ｙ）、新たなパスワードで保護すべきデータはないので、処理はそのまま前述のＳ１１へ移行する。
【００４４】
一方、原稿のコピー可能枚数が０でない場合は（Ｓ８１：Ｎ）、Ｓ８２にて、原稿のタグＴに記録されたコピー条件表のタグコピーは不可か否かが判断される。タグコピーが可の場合は（Ｓ８２：Ｎ）、次世代のタグコピー、すなわち、コピー後の記録用紙を原稿とした場合のタグコピーが可とされたか否かが判断される。不可の場合は（Ｓ８３：Ｎ）、そのままＳ１３の処理が実行されると、タグデータが復元できなくなる可能性がある。そこで、この場合（Ｓ８３：Ｎ）、続くＳ８４にてタグの内容をロックする設定がなされた上で、Ｓ８５にて、そのロックを解除するための第１パスワードを操作パネル２の操作に基いて設定する第１パスワード設定処理が実行される。この処理により、例えば第１世代から第２世代へのコピー時に、第２世代から第３世代へのタグコピーが可から不可に修正された場合でも（Ｓ８２：Ｎ，Ｓ８３：Ｎ）、第２世代から第３世代へのコピー時に第１パスワードを入力することで、タグコピーが可能になる（Ｓ７２，Ｓ７３参照）。
【００４５】
また、次世代のタグコピーが可の場合は（Ｓ８３：Ｙ）、Ｓ８７にて、次々世代以降のタグコピーが不可とされたか否かが判断される。次々世代以降のタグコピーが不可とされた場合は（Ｓ８７：Ｙ）、処理は前述のＳ８５へ移行し、第１パスワード設定処理がなされる。この場合、次世代から次々世代へのコピー時に、第１パスワードを入力することで次々世代以降のタグコピーを可能にすることができる（Ｓ７２，Ｓ７３参照）。
【００４６】
Ｓ８５の第１パスワード設定処理が終了すると、処理はＳ９０へ移行する。また、原稿のタグＴに記録されたコピー条件表で既にタグコピーが不可とされている場合は（Ｓ８２：Ｎ）、タグデータを新たなパスワードで保護する必要はないので、処理はＳ８２からＳ９０へ直接移行する。更に、次世代のタグコピーが可で（Ｓ８３：Ｙ）、次々世代以降のタグコピーも可の場合は（Ｓ８７：Ｎ）、タグコピーに関するコピー条件を修正していない場合に相当するため、この場合も、処理はＳ８７からＳ９０へ直接移行する。
【００４７】
Ｓ９０では、原稿に「無断複写」の透かしがなく、かつ、Ｓ７６の処理で次世代以降のコピー可能枚数が減らされたか否かが判断される。Ｓ９０へ移行する場合は、Ｓ８１にて、原稿のタグＴに記録されたコピー条件表のコピー可能枚数が１以上である場合であるので（Ｓ８１：Ｎ）、通常は、原稿に「無断複写」の透かしが入っていることはあり得ない。このＳ９０では、「無断複写」の透かしが入ってしまった用紙Ｐに添付されたタグＴのコピー条件表が不正に書き換えられた場合に備えて、Ｓ２におけるプレスキャン結果に基いて「無断複写」の透かしの有無を判断するのである。
【００４８】
そして、「無断複写」の透かしがあった場合や、次世代以降のコピー可能枚数を減らしていない場合は（いずれもＳ９０：Ｎ）、新たなパスワードで保護すべきデータはないので、処理はそのままＳ１１へ移行する。一方、原稿に「無断複写」の透かしがなく、かつ、次世代以降のコピー可能枚数が減らされた場合は（Ｓ９０：Ｙ）、Ｓ９１にて、次世代以降のコピー可能枚数が全て０とされたか否かが判断される。次世代以降のコピー可能枚数が全て０とされた場合は（Ｓ９１：Ｙ）、Ｓ９２にてタグの内容をロックする設定がなされた上で、Ｓ９３にてそのロックを解除するための第２パスワードを操作パネル２の操作に基いて設定する第２パスワード設定処理が実行され、処理はＳ１１へ移行する。更に、次世代以降のコピー可能枚数が全て０ではない場合は（Ｓ９１：Ｎ）、そのコピー可能枚数の設定を戻すための第２パスワード設定処理（Ｓ９３）がなされた上で、処理はＳ１１へ移行する。
【００４９】
なお、第２パスワード設定処理（Ｓ９３）で設定される第２パスワードは、前述の表１に示すように、第１パスワード設定処理（Ｓ８５）で設定される第１パスワードの一部によって構成される。このため、第１パスワード，第２パスワードの設定者は、パスワードを覚えておくのが容易になる。
［本実施の形態の効果及び変形例］
このように、本実施の形態では、自分の世代以降の原稿に付与されるコピー条件を適宜修正することができる。このため、例えば、第１世代の原稿をコピーして第２世代を他人に渡す場合、渡す相手によって制限を厳しくする（例えば、第２世代から第３世代へのコピーを不可にする）などといった対応も可能になる。しかも、コピー条件表は修正前のものも含めて記録用紙のタグＴに記録されるため、パスワードの入力によって制限を元に戻すのも容易である。なお、上記実施の形態において、原稿のタグＴに記録されたコピー条件表に対応したＳ１３，Ｓ１５の処理が記録制限手段に、Ｓ７２，Ｓ７３，Ｓ７６〜Ｓ８０の処理が制限情報変更手段に、Ｓ７２の処理がパスワード要求手段に、Ｓ８５，Ｓ９３の処理がパスワード設定手段に、それぞれ相当する。
【００５０】
また、本発明は上記実施の形態に何ら限定されるものではなく、本発明の要旨を逸脱しない範囲で種々の形態で実施することができる。例えば、画像記録手段としては、本実施の形態のように電子写真方式で画像を形成するものに限らず、インクを吐出して画像を形成するものなども採用することができ、非接触型タグとしては、赤外線を利用してデータの送受信を行うタグも採用することができる。また、画像読取装置１００を有さずタグリーダのみを備え、記録用紙への画像のコピーは原稿のタグＴから読み込んだデータのみに基いて行う形態も考えられる。更に、偽造防止処理を行わない場合は、全ての場合にイメージセンサ１１０を介して読み取った画像に基いて画像のコピーを行ってもよい。また更に、Ｓ８０の欠落情報保存処理は省略してもよい。但し、この場合は、パスワードを入力して制限を解除することは不可能になる場合がある。
【図面の簡単な説明】
【００５１】
【図１】本発明が適用された複合機の外観を表す斜視図である。
【図２】その複合機の内部構成を表す縦断面図である。
【図３】非接触型タグを備えた用紙の構成を例示する説明図である。
【図４】上記複合機のイメージセンサの構成を模式的に表す断面図である。
【図５】上記複合機の制御系の構成を表すブロック図である。
【図６】その制御系で実行されるコピー処理を表すフローチャートである。
【図７】そのコピー処理のコピー条件設定処理を詳細に表すフローチャートである。
【図８】そのコピー条件設定処理の欠落情報保存処理を詳細に表すフローチャートである。
【符号の説明】
【００５２】
１…複合機            ２…操作パネル            ７…画像形成部
４７…タグライタ      １００…画像読取装置      １１８…タグリーダライタ
２００…制御部        Ｐ…用紙                  Ｔ…ＲＦＩＤタグ
【図１】
2008076851.tif 000004
【図２】
2008076851.tif 000005
【図３】
2008076851.tif 000006
【図４】
2008076851.tif 000007
【図５】
2008076851.tif 000008
【図６】
2008076851.tif 000009
【図７】
2008076851.tif 000010
【図８】
2008076851.tif 000011